【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
音楽データを再生する再生手段と、
使用者の動作の変化を検出するセンサ手段と、
前記再生手段を通じて音楽データの再生を開始した後において、所定のタイミング毎に、前記センサ手段からの検出出力に基づいて、使用者の動作テンポを検出する検出手段と、
前記再生手段により再生されている音楽データのテンポと前記検出手段により検出された使用者の動作テンポとの差が、所定範囲内であるか否かを判断する判断手段と、
前記判断手段により、再生されている音楽データのテンポと使用者の動作テンポとの差が所定範囲外であると判断された場合に、前記検出手段で検出された動作テンポとの差が所定範囲内であるテンポの音楽データを検索する検索手段と、
前記再生手段によって再生される音楽データを前記検索手段によって検索された音楽データに変更する変更手段と
を備えることを特徴とする音響再生装置。
【請求項２】
音楽データを再生する再生手段と、
使用者の動作の変化を検出するセンサ手段と、
前記再生手段を通じて音楽データを再生するに先立って、前記センサ手段からの検出出力に基づいて、使用者の動作テンポを検出する第１の検出手段と、
前記第１の検出手段で検出された動作テンポとの差が所定範囲内であるテンポの音楽データを検索する第１の検索手段と、
前記第１の検索手段によって検索された音楽データを、前記再生手段を通じて再生するように制御する再生制御手段と、
前記再生手段を通じて音楽データを再生している場合において、所定のタイミング毎に、前記センサ手段からの検出出力に基づいて、使用者の動作テンポを検出する第２の検出手段と、
前記再生手段により再生されている音楽データのテンポと前記第２の検出手段により検出された使用者の動作テンポとの差が、所定範囲内であるか否かを判断する判断手段と、
前記判断手段により、再生されている音楽データのテンポと使用者の動作テンポとの差が所定範囲外であると判断された場合に、前記第２の検出手段で検出された動作テンポとの差が所定範囲内であるテンポの音楽データを検索する第２の検索手段と、
前記再生手段によって再生される音楽データを前記第２の検索手段によって検索された音楽データに変更する変更手段と
を備えることを特徴とする音響再生装置。
【請求項３】
請求項１または請求項２に記載の音響再生装置であって、
運動量の算出に用いる情報の入力を受け付ける受付手段と、
前記再生手段を通じて再生された音楽データの少なくとも識別情報と再生時間とを履歴情報として記憶保持する履歴保持手段と、
前記履歴保持手段に保持されている音楽データの識別情報に基づいて、再生された各音楽データの特性情報を取得する取得手段と、
前記受付手段を通じて受け付けた情報と、前記履歴保持手段に保持されている前記履歴情報と、前記取得手段によって取得された特性情報とに基づいて、使用者の運動量を算出する算出手段と、
前記算出手段によって算出された運動量を示す情報を出力する出力手段と
を備えることを特徴とする音響再生装置。
【請求項４】
請求項１または請求項２に記載の音響再生装置であって、
運動量の算出に用いる情報の入力を受け付ける受付手段と、
再生される音楽データ毎に、前記センサ手段からの検出出力に基づいて、使用者の運動種別を検出する運動種別検出手段と、
再生された音楽データ毎に、音楽データの識別情報と再生時間、及び、前記運動種別検出手段によって検出された前記運動種別を対応付けた履歴情報を記憶保持する履歴保持手段と、
前記履歴保持手段に保持されている音楽データの識別情報に基づいて、再生された各音楽データの特性情報を取得する取得手段と、
前記受付手段を通じて受け付けた使用者の身体に関するプロフィール情報と、前記履歴保持手段に保持されている前記履歴情報と、前記取得手段によって取得された特性情報とに基づいて、使用者の運動量を算出する算出手段と、
前記算出手段によって算出された運動量を示す情報を出力する出力手段と
を備えたことを特徴とする音響再生装置。
【請求項５】
音楽データの再生を開始させた後において、所定のタイミング毎に、使用者の動作の変化を検出するセンサからの検出出力に基づいて、使用者の動作テンポを検出する検出工程と、
再生されている音楽データのテンポと前記検出工程において検出した使用者の動作テンポとの差が、所定範囲内であるか否かを判断する判断工程と、
前記判断工程において、再生している音楽データのテンポと使用者の動作テンポとの差が所定範囲外であると判断した場合に、前記検出工程において検出した動作テンポとの差が所定範囲内であるテンポの音楽データを検索する検索工程と、
再生する音楽データを前記検索工程において検索した音楽データに変更する変更工程と
を有することを特徴とする音響再生方法。
【請求項６】
音楽データを再生するに先立って、使用者の動作の変化を検出するセンサからの検出出力に基づいて、使用者の動作テンポを検出する第１の検出工程と、
前記第１の検出工程において検出した動作テンポとの差が所定範囲内であるテンポの音楽データを検索する第１の検索工程と、
前記第１の検索工程において検索した音楽データを再生するように制御する再生制御工程と、
音楽データを再生している場合において、所定のタイミング毎に、使用者の動作の変化を検出するセンサからの検出出力に基づいて、使用者の動作テンポを検出する第２の検出工程と、
再生されている音楽データのテンポと前記第２の検出工程において検出した使用者の動作テンポとの差が、所定範囲内であるか否かを判断する判断工程と、
前記判断工程において、再生されている音楽データのテンポと使用者の動作テンポとの差が所定範囲外であると判断した場合に、前記第２の検出工程において検出した動作テンポとの差が所定範囲内であるテンポの音楽データを検索する第２の検索工程と、
再生する音楽データを前記第２の検索工程において検索した音楽データに変更する変更工程と
を有することを特徴とする音響再生方法。
【請求項７】
音楽データを再生する音響再生装置に搭載されたコンピュータに、
音楽データの再生を開始した後において、所定のタイミング毎に、使用者の動作の変化を検出するセンサからの検出出力に基づいて、使用者の動作テンポを検出する検出ステップと、
再生されている音楽データのテンポと前記検出ステップにおいて検出した使用者の動作テンポとの差が、所定範囲内であるか否かを判断する判断ステップと、
前記判断ステップにおいて、再生している音楽データのテンポと使用者の動作テンポとの差が所定範囲外であると判断した場合に、前記検出ステップにおいて検出した動作テンポとの差が所定範囲内であるテンポの音楽データを検索する検索ステップと、
再生する音楽データを、前記検索ステップにおいて検索した音楽データに変更する変更ステップと
を実行させることを特徴とする音響再生プログラム。
【請求項８】
音楽データを再生する音響再生装置に搭載されたコンピュータに、
音楽データを再生するに先立って、使用者の動作の変化を検出するセンサからの検出出力に基づいて、当該使用者の動作テンポを検出する第１の検出ステップと、
前記第１の検出ステップにおいて検出した動作テンポとの差が所定範囲内であるテンポの音楽データを検索する第１の検索ステップと、
前記第１の検索ステップにおいて検索した音楽データを再生するように制御する再生制御ステップと、
音楽データを再生している場合において、所定のタイミング毎に、使用者の動作の変化を検出するセンサからの検出出力に基づいて、当該使用者の動作テンポを検出する第２の検出ステップと、
再生されている音楽データのテンポと前記第２の検出ステップにおいて検出した使用者の動作テンポとの差が、所定範囲内であるか否かを判断する判断ステップと、
前記判断ステップにおいて、再生されている音楽データのテンポと使用者の動作テンポとの差が所定範囲外であると判断した場合に、前記第２の検出ステップにおいて検出した動作テンポとの差が所定範囲内であるテンポの音楽データを検索する第２の検索ステップと、
再生する音楽データを、前記第２の検索ステップにおいて検索した音楽データに変更する変更ステップと
を実行させることを特徴とする音響再生プログラム。
【請求項９】
使用者からの個人プロフィール情報の入力を受け付けるプロフィール情報受付手段と、
使用者の目標運動量の入力を受け付ける目標運動量受付手段と、
使用者の動作を検出する検出手段と、
前記プロフィール情報受付手段を通じて受け付けた使用者の個人プロフィール情報と、前記検出手段からの検出出力に基づいて、使用者の実運動量を算出する算出手段と、
前記算出手段で算出された使用者の前記実運動量の累積値が、前記目標運動量受付手段を通じて受け付けた前記目標運動量に到達するまでの間において、再生すべき音楽データを順次に選択する選択手段と、
前記選択手段によって選択された前記音楽データを再生する再生手段と
を備えることを特徴とする音響再生装置。
【請求項１０】
請求項９に記載の音響再生装置であって、
前記目標運動量と前記実運動量とは、運動時間、運動強度、運動距離、運動回数、歩数、消費カロリー、脂肪燃焼量の少なくとも１つを含むものであることを特徴とする音響再生装置。
【請求項１１】
請求項９に記載の音響再生装置であって、
前記個人プロフィール情報は、身長、体重、年齢、性別、歩幅の内の少なくとも１つを含むものであることを特徴とする音響再生装置。
【請求項１２】
請求項９に記載の音響再生装置であって、
少なくとも再生された音楽データの識別情報と、当該音楽データの再生時における実運動量とを対応付けた履歴情報を作成する履歴情報作成手段と、
前記履歴情報作成手段を通じて作成された前記履歴情報を記憶保持する記憶手段と、
前記記憶手段に記憶された前記履歴情報の前記実運動量が、目的とする運動量に到達した場合に、予め決められた特典を付与するようにする特典付与手段と
を備えることを特徴とする音響再生装置。
【請求項１３】
使用者からの個人プロフィール情報の入力を受け付けるプロフィール情報受付工程と、
使用者の目標運動量の入力を受け付ける目標運動量受付工程と、
使用者の動作を検出する検出工程と、
前記プロフィール情報受付工程において受け付けた使用者の個人プロフィール情報と、前記検出工程において検出した検出結果とに基づいて、使用者の実運動量を算出する算出工程と、
前記算出工程において算出した使用者の前記実運動量の累積値が、前記目標運動量受付工程において受け付けた前記目標運動量に到達するまでの間において、再生すべき音楽データを順次に選択する選択工程と、
前記選択工程において選択した前記音楽データを再生する再生工程と
を有することを特徴とする音響再生方法。
【請求項１４】
請求項１３に記載の音響再生方法であって、
前記目標運動量と前記実運動量とは、運動時間、運動強度、運動距離、運動回数、歩数、消費カロリー、脂肪燃焼量の少なくとも１つを含むものであることを特徴とする音響再生方法。
【請求項１５】
請求項１３に記載の音響再生装置であって、
前記個人プロフィール情報は、身長、体重、年齢、性別、歩幅の内の少なくとも１つを含むものであることを特徴とする音響再生装置。
【請求項１６】
請求項１３に記載の音響再生方法であって、
少なくとも再生された音楽データの識別情報と、当該音楽データの再生時における実運動量とを対応付けた履歴情報を作成する履歴情報作成工程と、
前記履歴情報作成工程において作成した前記履歴情報を記録媒体に記憶保持する記憶処理工程と、
前記記憶媒体に記憶した前記履歴情報の前記実運動量が、目的とする運動量に到達した場合に、予め決められた特典を付与するようにする特典付与工程と
を有することを特徴とする音響再生方法。
【請求項１７】
音楽データを再生する音響再生装置に搭載されたコンピュータに、
キー操作部を通じて入力される使用者からの個人プロフィール情報の入力を受け付けるプロフィール情報受付ステップと、
キー操作部を通じて入力される使用者の目標運動量の入力を受け付ける目標運動量受付ステップと、
使用者に装着するようにされるセンサ装置からの検出出力に基づいて、使用者の動作を検出する検出ステップと、
前記プロフィール情報受付ステップにおいて受け付けた使用者の個人プロフィール情報と、前記検出ステップにおいて検出した使用者の動作とに基づいて、使用者の実運動量を算出する算出ステップと、
前記算出ステップにおいて算出した使用者の前記実運動量の累積値が、前記目標運動量受付ステップにおいて受け付けた前記目標運動量に到達するまでの間において、再生すべき音楽データを順次に選択する選択ステップと、
前記選択ステップにおいて選択した前記音楽データを再生するようにする再生ステップと
を実行することを特徴とする音響再生プログラム。
【請求項１８】
請求項１７に記載の音響再生プログラムであって、
前記目標運動量と前記実運動量とは、運動時間、運動強度、運動距離、運動回数、歩数、消費カロリー、脂肪燃焼量の少なくとも１つを含むものであることを特徴とする音響再生プログラム。
【請求項１９】
請求項１７に記載の音響再生装置であって、
前記個人プロフィール情報は、身長、体重、年齢、性別、歩幅の内の少なくとも１つを含むものであることを特徴とする音響再生装置。
【請求項２０】
請求項１７に記載の音響再生プログラムであって、
少なくとも再生された音楽データの識別情報と、当該音楽データの再生時における実運動量とを対応付けた履歴情報を作成する履歴情報作成ステップと、
前記履歴情報作成ステップにおいて作成した前記履歴情報を記録媒体に記憶保持する記憶処理ステップと、
前記記憶媒体に記憶した前記履歴情報の前記実運動量が、目的とする運動量に到達した場合に、予め決められた特典を付与するようにする特典付与ステップと
を実行することを特徴とする音響再生プログラム。
【手続補正２】
【補正対象書類名】明細書
【補正対象項目名】００１１
【補正方法】変更
【補正の内容】
【００１１】
上記課題を解決するため、請求項１に記載の発明の音響再生装置は、
音楽データを再生する再生手段と、
使用者の動作の変化を検出するセンサ手段と、
前記再生手段を通じて音楽データの再生を開始した後において、所定のタイミング毎に、前記センサ手段からの検出出力に基づいて、使用者の動作テンポを検出する検出手段と、
前記再生手段により再生されている音楽データのテンポと前記検出手段により検出された使用者の動作テンポとの差が、所定範囲内であるか否かを判断する判断手段と、
前記判断手段により、再生されている音楽データのテンポと使用者の動作テンポとの差が所定範囲外であると判断された場合に、前記検出手段で検出された動作テンポとの差が所定範囲内であるテンポの音楽データを検索する検索手段と、
前記再生手段によって再生される音楽データを前記検索手段によって検索された音楽データに変更する変更手段と
を備えることを特徴とする。
【手続補正３】
【補正対象書類名】明細書
【補正対象項目名】００２０
【補正方法】変更
【補正の内容】
【００２０】
また、請求項９に記載の発明の音響再生装置は、
使用者からの個人プロフィール情報の入力を受け付けるプロフィール情報受付手段と、
使用者の目標運動量の入力を受け付ける目標運動量受付手段と、
使用者の動作を検出する検出手段と、
前記プロフィール情報受付手段を通じて受け付けた使用者の個人プロフィール情報と、前記検出手段からの検出出力に基づいて、使用者の実運動量を算出する算出手段と、
前記算出手段で算出された使用者の前記実運動量の累積値が、前記目標運動量受付手段を通じて受け付けた前記目標運動量に到達するまでの間において、再生すべき音楽データを順次に選択する選択手段と、
前記選択手段によって選択された前記音楽データを再生する再生手段と
を備えることを特徴とする。
【手続補正４】
【補正対象書類名】明細書
【補正対象項目名】００２１
【補正方法】変更
【補正の内容】
【００２１】
この請求項９に記載の発明の音響再生装置によれば、プロフィール情報受付手段を通じて使用者の個人プロフィール情報が受け付けられ、目標運動量受付手段を通じて使用者の目標運動量が受け付けられる。そして、プロフィール情報受付手段を通じて受け付けた個人プロフィール情報と、検出手段を通じて検出された使用者の動作とに基づいて、算出手段により使用者の実運動量が算出される。
【手続補正５】
【補正対象書類名】明細書
【補正対象項目名】０１１６
【補正方法】変更
【補正の内容】
【０１１６】
［ＭＥＴＳ値について］
ここで、図８に示したように、再生した音楽データ毎に把握され、図１２を用いて説明した消費エネルギーの算出において用いるようにした運動の強度を示すＭＥＴＳ値について説明する。図１４、図１５は、ＭＥＴＳ値について説明するための図である。ＭＥＴＳ値は、図１４の（１６）式に示したように、運動時酸素摂取量を安静時酸素摂取量で割り算することによって得られる値である。